(57)【要約】【課題】移動可能で会議を効率的に進行できるプロジェクタ複合機を提供すること。【解決手段】本体２には移動のためのキャスター１が設けられると共に、当該本体２の上側に昇降部３が設けられ、この昇降部３は一端側で上下動するロッド５により昇降可能に支持され、前記本体２内にはプリンタ１０３が設けられ、前記昇降部３には、スキャナ１０２が設けられかつその読み取り面は昇降部３の上面に位置し、さらに、プロジェクタ１０１が設けられかつ投射レンズ４は昇降部の前記ロッド５による支持側に位置する。【選択図】        図４
2006013597.tif 000002
【特許請求の範囲】
【請求項１】
プロジェクタ、プリンタおよびスキャナを有し、移動のためのキャスターが本体の下側に設けられ、
さらに、プロジェクタの投影にかかる画像データ、スキャナにより読み取られた画像データおよび印刷にかかる印刷データの少なくともいずれかをデータベースとして記憶し、当該データをクライアントに提供するデータベースサーバと、
クライアントにネットワーク接続可能なネットワーク接続手段と、
を備えたことを特徴とするプロジェクタ複合機サーバ。
【請求項２】
さらに、プロジェクタおよびスキャナの少なくともいずれかは前記本体に対して上下動する昇降部に設けられていることを特徴とする請求項１に記載のプロジェクタ複合機サーバ。
【請求項３】
前記本体には当該本体の上側に昇降部が設けられ、
前記昇降部は、本体の一端側に設けられ、かつ上下動する支持部材により昇降可能に支持され、
前記本体内にはプリンタが設けられ、
前記昇降部には、スキャナが設けられかつその読み取り面は昇降部の上面に位置するとともに、さらに、プロジェクタが設けられかつ投射レンズは昇降部を支持する前記支持部材側に位置することを特徴とする請求項１に記載のプロジェクタ複合機サーバ。
【請求項４】
前記本体には当該本体の上側に机部が設けられ、
前記本体内にはプリンタが設けられ、
前記机部には、スキャナが設けられかつその読み取り面は机部の上面に位置し、さらに、プロジェクタが設けられかつ投射レンズは机部の端部に位置することを特徴とする請求項１に記載のプロジェクタ複合機サーバ。
【請求項５】
プロジェクタで表示する画像データおよびスキャナで取得した画像データの少なくともいずれかを記憶する記憶部を有することを特徴とする請求項１〜４のいずれか一つに記載のプロジェクタ複合機サーバ。
【請求項６】
前記記憶部には、可搬記憶媒体が含まれることを特徴とする請求項５に記載のプロジェクタ複合機サーバ。
【請求項７】
さらに、前記スキャナにより読み取られた画像をプロジェクタにより表示することを特徴とする請求項１〜６のいずれか一つに記載のプロジェクタ複合機サーバ。
【請求項８】
さらに、前記スキャナにより読み取られた画像をプリンタにより印刷することを特徴とする請求項１〜７のいずれか一つに記載のプロジェクタ複合機サーバ。
【請求項９】
さらに、前記プロジェクタにより表示している画像をプリンタにより印刷することを特徴とする請求項１〜８のいずれか一つに記載のプロジェクタ複合機サーバ。
【請求項１０】
前記本体には、他の電子機器に電力を供給するための電源が内蔵されていることを特徴とする請求項１〜９のいずれか一つに記載のプロジェクタ複合機サーバ。
【請求項１１】
前記本体のプロジェクタの投射側に第１の排紙口を有し、前記投射側の反対側に第２の排紙口を有するとともに、
第１の排紙口および第２の排紙口を選択できることを特徴とする請求項１〜１０のいずれか一つに記載のプロジェクタ複合機サーバ。
【請求項１２】
前記本体には、当該本体の上側に昇降部が設けられ、当該昇降部は、本体の一端側に設けられかつ上下動する支持部材により昇降可能に支持され、
前記本体内にはプリンタが設けられ、
前記昇降部には、スキャナが設けられかつその読み取り面は昇降部の上面に位置するとともに、さらに、プロジェクタが設けられかつ投射レンズは昇降部を支持する前記支持部材側に位置し、かつ
前記本体のプロジェクタの投射レンズ側に第１の排紙口を有し、前記投射側の反対側に第２の排紙口を有するとともに、
第１の排紙口および第２の排紙口の切り替えをおこなうことを特徴とする請求項１に記載のプロジェクタ複合機サーバ。
【請求項１３】
昇降部の下面、本体上面または昇降部と本体との間にセンサを設け、当該センサの出力信号に基づいて前記排紙口の切り替えをおこなうことを特徴とする請求項１１または１２に記載のプロジェクタ複合機サーバ。
【請求項１４】
さらに、前記プロジェクタ複合機サーバは、プロキシサーバ機能を有することを特徴とする請求項１〜１３のいずれか一つに記載のプロジェクタ複合機サーバ。
【請求項１５】
プロジェクタ、プリンタおよびスキャナを有し、さらに、プロジェクタの投影にかかる画像データ、スキャナにより読み取られた画像データおよび印刷にかかる印刷データの少なくともいずれかをデータベースとして記憶し、当該データをクライアントに提供するデータベースサーバと、クライアントにネットワーク接続可能なネットワーク接続手段と、を有するプロジェクタ複合機サーバと、
前記プロジェクタ複合機サーバとネットワーク接続した複数のクライアントコンピュータと、
を含んだことを特徴とするクライアント・プロジェクタ複合機サーバ・システム。
【請求項１６】
プロジェクタ、プリンタおよびスキャナを有し、さらに、プロジェクタの投影にかかる画像データ、スキャナにより読み取られた画像データおよび印刷にかかる印刷データの少なくともいずれかをデータベースとして記憶し、当該データをクライアントに提供するデータベースサーバと、クライアントにネットワーク接続可能なネットワーク接続手段と、を有するプロジェクタ複合機サーバに対して、クライアントコンピュータから所望のデータを検索要求する工程と、
前記プロジェクタ複合機サーバのデータベースを検索する工程と、
検索結果をクライアントコンピュータに送信する工程と、
検索した画像データを前記プロジェクタ複合機サーバのプロジェクタにより投影する工程と、
を含んだことを特徴とするクライアント・プロジェクタ複合機サーバ・システムの使用方法。
【請求項１７】
プロジェクタ、プリンタおよびスキャナを有し、さらに、プロジェクタの投影にかかる画像データ、スキャナにより読み取られた画像データおよび印刷にかかる印刷データの少なくともいずれかをデータベースとして記憶し、当該データをクライアントに提供するデータベースサーバと、クライアントにネットワーク接続可能なネットワーク接続手段と、を有するプロジェクタ複合機サーバに対して、クライアントコンピュータから所望のデータを検索要求する工程と、
前記プロジェクタ複合機サーバのデータベースを検索する工程と、
検索結果をクライアントコンピュータに送信する工程と、
検索した画像データを前記プロジェクタ複合機サーバのプリンタにより印刷する工程と、
を含んだことを特徴とするクライアント・プロジェクタ複合機サーバ・システムの使用方法。
【請求項１８】
さらに、プロジェクタの投影にかかる画像データ、スキャナにより読み取られた画像データおよび印刷にかかる印刷データの少なくともいずれかをデータベースとして格納する工程を含んだことを特徴とする請求項１７に記載のクライアント・プロジェクタ複合機サーバ・システムの使用方法。
【請求項１９】
プロジェクタ、プリンタおよびスキャナを有し、さらに、プロジェクタの投影にかかる画像データ、スキャナにより読み取られた画像データおよび印刷にかかる印刷データの少なくともいずれかをデータベースとして記憶し、当該データをクライアントに提供するデータベースサーバと、クライアントにネットワーク接続可能なネットワーク接続手段と、を有するプロジェクタ複合機サーバに対して、クライアントコンピュータから画像データを送信する工程と、
前記画像データを前記データベースに格納する工程と、
前記画像データをプロジェクタにより投影する工程と、
別のクライアントコンピュータに前記画像データを送信する工程と、
を含んだことを特徴とするクライアント・プロジェクタ複合機サーバ・システムの使用方法。
【請求項２０】
プロジェクタ、プリンタおよびスキャナを有し、さらに、プロジェクタの投影にかかる画像データ、スキャナにより読み取られた画像データおよび印刷にかかる印刷データの少なくともいずれかをデータベースとして記憶し、当該データをクライアントに提供するデータベースサーバと、クライアントにネットワーク接続可能なネットワーク接続手段と、を有するプロジェクタ複合機サーバに対して、クライアントコンピュータから画像データを送信する工程と、
前記画像データをデータベースに格納する工程と、
前記画像データをプリンタにより印刷する工程と、
別のクライアントコンピュータに前記画像データを送信する工程と、
を含んだことを特徴とするクライアント・プロジェクタ複合機サーバ・システムの使用方法。
【請求項２１】
プロジェクタ、プリンタおよびスキャナを有し、さらに、プロジェクタの投影にかかる画像データ、スキャナにより読み取られた画像データおよび印刷にかかる印刷データの少なくともいずれかをデータベースとして記憶し、当該データをクライアントに提供するデータベースサーバと、クライアントにネットワーク接続可能なネットワーク接続手段と、を有するプロジェクタ複合機サーバの前記スキャナにより画像を読み取る工程と、
読み取られた画像データを前記データベースに格納する工程と、
前記画像データをプロジェクタにより投影する工程と、
別のクライアントコンピュータに前記画像データを送信する工程と、
を含んだことを特徴とするクライアント・プロジェクタ複合機サーバ・システムの使用方法。
【請求項２２】
プロジェクタ、プリンタおよびスキャナを有し、さらに、プロジェクタの投影にかかる画像データ、スキャナにより読み取られた画像データおよび印刷にかかる印刷データの少なくともいずれかをデータベースとして記憶し、当該データをクライアントに提供するデータベースサーバと、クライアントにネットワーク接続可能なネットワーク接続手段と、を有するプロジェクタ複合機サーバの前記スキャナにより画像を読み取る工程と、
読み取られた画像データをデータベースに格納する工程と、
前記画像データをプリンタにより印刷する工程と、
別のクライアントコンピュータに前記画像データを送信する工程と、
を含んだことを特徴とするクライアント・プロジェクタ複合機サーバ・システムの使用方法。
【請求項２３】
プロジェクタ、プリンタおよびスキャナを有し、さらに、プロジェクタの投影にかかる画像データ、スキャナにより読み取られた画像データおよび印刷にかかる印刷データの少なくともいずれかをデータベースとして記憶し、当該データをクライアントに提供するデータベースサーバと、クライアントにネットワーク接続可能なネットワーク接続手段と、を有するプロジェクタ複合機サーバを用いて、書類の出力と、出力した前記書類に加えた追加部分を含む書類の入力と、を繰り返すことで、書類を最終的に完成させることを特徴とするクライアント・プロジェクタ複合機サーバ・システムの使用方法。
【発明の詳細な説明】
【技術分野】
【０００１】
この発明は、オフィス内で移動自在なプロジェクタ、プリンタ、スキャナの複合機サーバに関する。
【背景技術】
【０００２】
オフィスにおいて会議を催すとき、複数の担当者が会議室に集合すると共に、必要となる資料やパーソナルコンピュータ、プロジェクタその他の機材を持ち込むことが多い。通常、会議室では、パーソナルコンピュータとプロジェクタを用いてプレゼンテーションをおこない、これに加えてその資料を出席者に配布することが多い。
【発明の開示】
【発明が解決しようとする課題】
【０００３】
しかしながら、会議室に必要な機材を持ち込むのは面倒である。たとえば、プロジェクタを個別に持ち込むのは、煩わしい作業であり、特に担当者の席と会議室の距離が長いときは、それだけで疲れてしまう。さらに、プロジェクタが大型のものであれば、重量も相当あり、持ち運びが大変である。また、配布資料を予め印刷しておかなければならないため、事前準備も必要となる。また、会議室でプリンタを用いるとなれば、プリンタを設置するときに用紙の排紙方向に配慮しなければならない。すなわち、排紙方向に物がないようにするべきである。さらに、会議により用いる資料は様々であり、その管理が煩わしい。
【０００４】
そこで、この発明は、上記に鑑みてなされたものであって、移動可能で会議を効率的に進行できるようにすることを第１の目的とする。また、この発明は、排紙をスムーズにおこなえるようにすることを第２の目的とする。また、この発明は、資料等を一元管理できるようにすることを第３の目的とする。
【課題を解決するための手段】
【０００５】
上記目的を達成するため、この発明にかかるプロジェクタ複合機サーバは、プロジェクタ、プリンタおよびスキャナを有し、移動のためのキャスターが本体の下側に設けられ、さらに、プロジェクタの投影にかかる画像データ、スキャナにより読み取られた画像データおよび印刷にかかる印刷データの少なくともいずれかをデータベースとして記憶し、当該データをクライアントに提供するデータベースサーバと、クライアントにネットワーク接続可能なネットワーク接続手段と、を備えたことを特徴とする。
【０００６】
画像データ等をデータベースに蓄積して、クライアントに提供することで、会議の内容についてのデータベースに保存されている情報を自分のパーソナルコンピュータに保存したい場合、データベースに蓄積されている画像データをプロジェクタにより投射したい場合等に有用である。また、本体にキャスターを設けることで本体を自在に移動することができる。このため、プロジェクタ、プリンタおよびスキャナを様々な場所で使用できるので、各機器を持ち運ぶ手間がかからない。また、各機能を連係して会議等に効果的に用いることができる。
【０００７】
また、この発明にかかるプロジェクタ複合機サーバは、上記発明において、さらに、プロジェクタおよびスキャナの少なくともいずれかは前記本体に対して上下動する昇降部に設けられていることを特徴とする。
【０００８】
プロジェクタは投影のために適切な高さが必要であり、スキャナは使用しやすい高さが必要である。一方、プロジェクタおよびスキャナが使用に必要な高さを保つと持ち運び上不便である。そこで、これらを昇降部に設けて上下動するようにし、運搬および使用しやすいようにした。
【０００９】
また、この発明にかかるプロジェクタ複合機サーバは、上記発明において、前記本体には当該本体の上側に昇降部が設けられ、前記昇降部は、本体の一端側に設けられ、かつ上下動する支持部材により昇降可能に支持され、前記本体内にはプリンタが設けられ、前記昇降部には、スキャナが設けられかつその読み取り面は昇降部の上面に位置するとともに、さらに、プロジェクタが設けられかつ投射レンズは昇降部を支持する前記支持部材側に位置することを特徴とする。
【００１０】
昇降部を一端で支持することで、本体を机の下に入れたときに前記昇降部を机の上に位置させることができる。この昇降部には、スキャナとプロジェクタが設けられており、スキャナは机上に位置するほうが使い勝手がよく、プロジェクタは投影に適する高さになる。昇降部を支持する支持部材側に投射レンズを配置すれば、本体を机下に入れたときに、投射レンズが机と反対側を向く（すなわち、机の中心から外側に向く）ことになるので、スクリーンに投射しやすい。
【００１１】
また、この発明にかかるプロジェクタ複合機サーバは、上記発明において、前記本体には当該本体の上側に机部が設けられ、前記本体内にはプリンタが設けられ、前記机部には、スキャナが設けられかつその読み取り面は机部の上面に位置し、さらに、プロジェクタが設けられかつ投射レンズは机部の端部に位置することを特徴とする。
【００１２】
すなわち、本体の上部に机を設けることで、このプロジェクタ複合機のみで場所を問わず小会議を開催できる。
【００１３】
また、この発明にかかるプロジェクタ複合機サーバは、上記発明において、プロジェクタで表示する画像データおよびスキャナで取得した画像データの少なくともいずれかを記憶する記憶部を有することを特徴とする。
【００１４】
このように画像データを記憶しておけば、後でその画像を直に見ることができる。たとえば前回の会議を復習する場合等に便利である。
【００１５】
また、この発明にかかるプロジェクタ複合機サーバは、上記発明において、前記記憶部には、可搬記憶媒体が含まれることを特徴とする。
【００１６】
可搬記憶媒体により内部のデータを移動すれば、出張先や別建物等にあるプロジェクタ複合機を用いて自分の会議内容等を継続実施できる。
【００１７】
また、この発明にかかるプロジェクタ複合機サーバは、上記発明において、さらに、前記スキャナにより読み取られた画像をプロジェクタにより表示することを特徴とする。
【００１８】
すなわち、オーバーヘッドプロジェクタのような使用をすることができる。たとえば用紙に手書きで所望の内容を記載して、それをスキャンし、プロジェクタで投影する。
【００１９】
また、この発明にかかるプロジェクタ複合機サーバは、上記発明において、さらに、前記スキャナにより読み取られた画像をプリンタにより印刷することを特徴とする。
【００２０】
すなわち、会議室等においてコピー機として機能するので、資料配布等に極めて便利である。
【００２１】
また、この発明にかかるプロジェクタ複合機サーバは、上記発明において、さらに、前記プロジェクタにより表示している画像がプリンタにより印刷することを特徴とする。
【００２２】
このようにすれば、プロジェクタで表示している画像をほしい場合、その場で印刷して入手できる。
【００２３】
また、この発明にかかるプロジェクタ複合機サーバは、上記発明において、前記本体には、他の電子機器に電力を供給するための電源が内蔵されていることを特徴とする。
【００２４】
電源を内蔵して他の電子機器に電力を供給するようにすれば、何処でも場所を問わず会議を開催できる。
【００２５】
また、この発明にかかるプロジェクタ複合機サーバは、上記発明において、前記本体のプロジェクタの投射側に第１の排紙口を有し、前記投射側の反対側に第２の排紙口を有するとともに、第１の排紙口および第２の排紙口を選択できることを特徴とする。
【００２６】
この発明では、第１の排紙口および第２の排紙口の一方を選択できるので、用紙を取りやすい方を選択できる。たとえば、プロジェクタを使用しているときは、第１の排紙口を使うと投射の邪魔になるので、そのときは第２の排紙口を選択して投射側と反対側から用紙を取ればよい。また、本体にキャスターを設けることで本体を自在に移動することができる。このため、プロジェクタ、プリンタおよびスキャナを様々な場所で使用できるので、各機器を持ち運ぶ手間がかからない。また、各機能を連係して会議等に効果的に用いることができる。
【００２７】
また、この発明にかかるプロジェクタ複合機サーバは、上記発明において、前記本体には、当該本体の上側に昇降部が設けられ、当該昇降部は、本体の一端側に設けられかつ上下動する支持部材により昇降可能に支持され、前記本体内にはプリンタが設けられ、前記昇降部には、スキャナが設けられかつその読み取り面は昇降部の上面に位置するとともに、さらに、プロジェクタが設けられかつ投射レンズは昇降部を支持する前記支持部材側に位置し、かつ前記本体のプロジェクタの投射レンズ側に第１の排紙口を有し、前記投射側の反対側に第２の排紙口を有するとともに、第１の排紙口および第２の排紙口の切り替えをおこなうことを特徴とする。
【００２８】
昇降部を一端で支持することで、本体を机の下に入れたときに前記昇降部を机の上に位置させることができる。この昇降部には、スキャナとプロジェクタが設けられており、スキャナは机上に位置するほうが使い勝手がよく、プロジェクタは投影に適する高さになる。昇降部を支持する支持部材側に投射レンズを配置すれば、本体を机下に入れたときに、投射レンズが机と反対側を向く（すなわち、机の中心から外側に向く）ことになるので、スクリーンに投射しやすい。また、机の下に本体を入れたとき、投射側と反対側は机の下に位置するので、第２の排紙口から排紙すると用紙を取り難い。そこで、第１の排紙口から用紙を排紙すれば、机と反対側から排紙されるので用紙を取りやすい。一方、プロジェクタを使用しているときは、第１の排紙口を使うと投射の邪魔になるので、そのときは第２の排紙口を選択して投射側と反対側から用紙を取ればよい。
【００２９】
たとえば、近接センサや赤外線センサで机が昇降部と本体との間に位置することを検出し、このセンサの出力信号に基づいて排紙口の切り替えをおこなう。これにより、用紙が取りやすくなるように、排紙口を自動的に切り替えることができる。
【００３０】
また、この発明にかかるプロジェクタ複合機サーバは、上記発明において、昇降部の下面、本体上面または昇降部と本体との間にセンサを設け、当該センサの出力信号に基づいて前記排紙口の切り替えをおこなうことを特徴とする。
【００３１】
また、この発明にかかるプロジェクタ複合機サーバは、上記発明において、さらに、プロキシサーバ機能を有することを特徴とする。
【００３２】
また、この発明にかかるクライアント・プロジェクタ複合機サーバ・システムの使用方法は、プロジェクタ、プリンタおよびスキャナを有し、さらに、プロジェクタの投影にかかる画像データ、スキャナにより読み取られた画像データおよび印刷にかかる印刷データの少なくともいずれかをデータベースとして記憶し、当該データをクライアントに提供するデータベースサーバと、クライアントにネットワーク接続可能なネットワーク接続手段と、を有するプロジェクタ複合機サーバと、前記プロジェクタ複合機サーバとネットワーク接続した複数のクライアントコンピュータと、を含んだことを特徴とする。
【００３３】
また、この発明にかかるクライアント・プロジェクタ複合機サーバ・システムの使用方法は、プロジェクタ、プリンタおよびスキャナを有し、さらに、プロジェクタの投影にかかる画像データ、スキャナにより読み取られた画像データおよび印刷にかかる印刷データの少なくともいずれかをデータベースとして記憶し、当該データをクライアントに提供するデータベースサーバと、クライアントにネットワーク接続可能なネットワーク接続手段と、を有するプロジェクタ複合機サーバに対して、クライアントコンピュータから所望のデータを検索要求する工程と、前記プロジェクタ複合機サーバのデータベースを検索する工程と、検索結果をクライアントコンピュータに送信する工程と、検索した画像データを前記プロジェクタ複合機サーバのプロジェクタにより投影する工程と、を含んだことを特徴とする。
【００３４】
また、この発明にかかるクライアント・プロジェクタ複合機サーバ・システムの使用方法は、プロジェクタ、プリンタおよびスキャナを有し、さらに、プロジェクタの投影にかかる画像データ、スキャナにより読み取られた画像データおよび印刷にかかる印刷データの少なくともいずれかをデータベースとして記憶し、当該データをクライアントに提供するデータベースサーバと、クライアントにネットワーク接続可能なネットワーク接続手段と、を有するプロジェクタ複合機サーバに対して、クライアントコンピュータから所望のデータを検索要求する工程と、前記プロジェクタ複合機サーバのデータベースを検索する工程と、検索結果をクライアントコンピュータに送信する工程と、検索した画像データを前記プロジェクタ複合機サーバのプリンタにより印刷する工程と、を含んだことを特徴とする。
【００３５】
また、この発明にかかるクライアント・プロジェクタ複合機サーバ・システムの使用方法は、上記発明において、さらに、プロジェクタの投影にかかる画像データ、スキャナにより読み取られた画像データおよび印刷にかかる印刷データの少なくともいずれかをデータベースとして格納する工程を含んだことを特徴とする。
【００３６】
また、この発明にかかるクライアント・プロジェクタ複合機サーバ・システムの使用方法は、プロジェクタ、プリンタおよびスキャナを有し、さらに、プロジェクタの投影にかかる画像データ、スキャナにより読み取られた画像データおよび印刷にかかる印刷データの少なくともいずれかをデータベースとして記憶し、当該データをクライアントに提供するデータベースサーバと、クライアントにネットワーク接続可能なネットワーク接続手段と、を有するプロジェクタ複合機サーバに対して、クライアントコンピュータから画像データを送信する工程と、前記画像データを前記データベースに格納する工程と、前記画像データをプロジェクタにより投影する工程と、別のクライアントコンピュータに前記画像データを送信する工程と、を含んだことを特徴とする。
【００３７】
また、この発明にかかるクライアント・プロジェクタ複合機サーバ・システムの使用方法は、プロジェクタ、プリンタおよびスキャナを有し、さらに、プロジェクタの投影にかかる画像データ、スキャナにより読み取られた画像データおよび印刷にかかる印刷データの少なくともいずれかをデータベースとして記憶し、当該データをクライアントに提供するデータベースサーバと、クライアントにネットワーク接続可能なネットワーク接続手段と、を有するプロジェクタ複合機サーバに対して、クライアントコンピュータから画像データを送信する工程と、前記画像データをデータベースに格納する工程と、前記画像データをプリンタにより印刷する工程と、別のクライアントコンピュータに前記画像データを送信する工程と、を含んだことを特徴とする。
【００３８】
また、この発明にかかるクライアント・プロジェクタ複合機サーバ・システムの使用方法は、プロジェクタ、プリンタおよびスキャナを有し、さらに、プロジェクタの投影にかかる画像データ、スキャナにより読み取られた画像データおよび印刷にかかる印刷データの少なくともいずれかをデータベースとして記憶し、当該データをクライアントに提供するデータベースサーバと、クライアントにネットワーク接続可能なネットワーク接続手段と、を有するプロジェクタ複合機サーバの前記スキャナにより画像を読み取る工程と、読み取られた画像データを前記データベースに格納する工程と、前記画像データをプロジェクタにより投影する工程と、別のクライアントコンピュータに前記画像データを送信する工程と、を含んだことを特徴とする。
【００３９】
また、この発明にかかるクライアント・プロジェクタ複合機サーバ・システムの使用方法は、プロジェクタ、プリンタおよびスキャナを有し、さらに、プロジェクタの投影にかかる画像データ、スキャナにより読み取られた画像データおよび印刷にかかる印刷データの少なくともいずれかをデータベースとして記憶し、当該データをクライアントに提供するデータベースサーバと、クライアントにネットワーク接続可能なネットワーク接続手段と、を有するプロジェクタ複合機サーバの前記スキャナにより画像を読み取る工程と、読み取られた画像データをデータベースに格納する工程と、前記画像データをプリンタにより印刷する工程と、別のクライアントコンピュータに前記画像データを送信する工程と、を含んだことを特徴とする。
【００４０】
また、この発明にかかるクライアント・プロジェクタ複合機サーバ・システムの使用方法は、プロジェクタ、プリンタおよびスキャナを有し、さらに、プロジェクタの投影にかかる画像データ、スキャナにより読み取られた画像データおよび印刷にかかる印刷データの少なくともいずれかをデータベースとして記憶し、当該データをクライアントに提供するデータベースサーバと、クライアントにネットワーク接続可能なネットワーク接続手段と、を有するプロジェクタ複合機サーバを用いて、書類の出力と、出力した前記書類に加えた追加部分を含む書類の入力と、を繰り返すことで、書類を最終的に完成させることを特徴とする。
【発明を実施するための最良の形態】
【００４１】
以下、この発明につき図面を参照しつつ詳細に説明する。なお、この実施例によりこの発明が限定されるものではない。また、以下に示す実施例の構成要素には、当業者が置換可能かつ容易なもの、あるいは実質的同一のものが含まれる。
【実施例１】
【００４２】
図１−１〜図１−３および図２−１、図２−２は、この発明の実施例１にかかるプロジェクタ複合機を示す説明図である。図３および図４は、このプロジェクタ複合機の使用状態を示す説明図である。このプロジェクタ複合機１００は、キャスター１により移動可能な本体２を有すると共に、プロジェクタ１０１、スキャナ１０２、プリンタ１０３の３つの機能を有する。プリンタ１０３は本体２に内蔵され、プロジェクタ１０１およびスキャナ１０２は昇降部３に内蔵されている。
【００４３】
プロジェクタ１０１およびスキャナ１０２を設けた昇降部３は、図２−２に示すように、机Ｔの高さよりも高い位置まで上げることができる。この上下動機構は、本体２の正面（プロジェクタ１０１の投射レンズ４の位置する面）に２本のロッド５が垂直に設けられ、このロッド５が本体２に設けた昇降用シリンダーの軸となり、自動的にあるいは手動により上下動する。なお、このロッド５等が昇降部３の支持部材となる。
【００４４】
スキャナ１０２およびプロジェクタ１０１を設けた昇降部３は、当該ロッド５の上端に設けられるので、当該ロッド５の上移動と共に上昇する。一方、本体２自体の高さは、平均的な机Ｔの高さよりも低い。このため、本体２を机Ｔの下に位置させると共にその昇降部３を机Ｔの上に位置させることができる。換言すれば、机Ｔの天板が前記本体２と昇降部３との間に入り込むようになる。
【００４５】
また、昇降部３の正面側、換言すれば前記支持部材であるロッド５を設けた側には、プロジェクタ１０１の投射レンズ４が設けられている。プロジェクタ１０１の光学系やライトバルブ等は当該昇降部３内に設けられている。また、昇降部３の上面には、スキャナ１０２のカバー６が開閉自在に設けられており、さらにスキャナ操作のためのボタン７が複数設けられている。前記昇降部３が机Ｔの上に位置していることで、机Ｔの上においてスキャナ１０２およびプロジェクタ１０１を使用できる。
【００４６】
このように、本体２が机Ｔの下に入り、かつ、操作の必要性があるスキャナ１０２および物に隠れないようにすべきであるプロジェクタ１０１の投射レンズ４とが机上に位置するようにすれば、会議室や机上のスペースを占有しない上（特に、プリンタによる占有）、スキャナ１０２の操作をおこないやすい。
【００４７】
また、本体２の下部には、２つのキャスター１が付いており、図３に示すように、引出し式のハンドル８により本体２自体を傾けて当該キャスター１により支持し、持ち運ぶことができる。なお、キャスター１の数は２個に限定されない。たとえば、３個以上のキャスター１を設けて、傾けなくても移動できるようにしてもよい。また、キャスター１の一つ以上を駆動輪にして自走できるようにしてもよい。
【００４８】
図５は、プロジェクタ複合機のプリンタ構造の一部を示す説明図である。このプロジェクタ複合機１００はプリンタ１０３を含み、その本体２内に印刷ヘッド等を有するプリント部１０と、用紙の供給をおこなう給紙トレイ１１と、排紙方向を制御する制御部１２とを有し、このプリント部１０から送られてきた用紙を２つの排紙パスに送る。プリント部１０の出口には排紙方向を選択するフラップ１３が設けられている。
【００４９】
フラップ１３の下方には、本体２の投射側に設けた排紙トレイ１４に至る第１排紙パス１５が設けられている。また、フラップ１３の上方には、本体２の投射側と反対側に設けた排紙口１６に至る第２排紙パス１７が設けられている。第１排紙パス１５および第２排紙パス１７は、ガイド部１８と排紙ローラ１９を組み合わせて構成されている。また、投射側の排紙トレイ１４には開閉可能な蓋２０が設けられている。
【００５０】
この排紙方向の選択は、自動的におこなうかあるいは手動でおこなう。このプロジェクタ複合機１００が机の下に位置していない場合、投射方向と反対側の排紙口１６から排紙する。すなわち、机の下に位置していない場合であって、画像をスクリーンに投影しているとき、投射側の排紙トレイ１４に排紙すると画像投影の邪魔になる。このため、投射側の反対側から排紙するのが好ましい。このとき、制御部１２はフラップ１３を駆動して、用紙Ｐ１を第２排紙パス１７に導き排紙口１６から排紙する。
【００５１】
一方、プロジェクタ複合機１００が机Ｔの下に位置している場合（図４の使用状態を参照）、当該反対側の排紙口１６から排紙すると、当該排紙口１６が机Ｔの下に位置するため、用紙を取り難い。そこで、プロジェクタ複合機１００を机Ｔの下に位置させたときに、結果的に机Ｔの外側に向くことになる排紙トレイ１４に対して排紙する。このようにすれば、排紙した用紙Ｐを取りやすい。このとき、制御部１２はフラップ１３を駆動して、用紙Ｐを第１排紙パス１５に導き排紙トレイ１４に排紙する。なお、排紙方向の選択を自動的におこなうには、たとえば昇降部３と本体２との間に赤外線センサ２１を設け、この赤外線Ｒが机Ｔの天板により遮られたときに、本体２が机Ｔの下に位置しているものと判断し、排紙方向を第２排紙パス１７から第１排紙パス１５に切り替える。
【００５２】
赤外線Ｒが遮られていない場合は、排紙方向を第２排紙パス１７のままとするかあるいは第１排紙パス１５から切り替える。なお、昇降部３の下面または本体２の上面に近接センサを設けて、この近接センサの出力信号に基づいて排紙パスを切り替えてもよい（図示省略）。
【００５３】
なお、プロジェクタ複合機１００を壁に近接させて投影しているとき、第２排紙パス１７からでは用紙を取り難いので、この場合も第１排紙パス１５に切り替える。このときは、本体２の投射側と反対側に近接センサ２２を設けて前記壁Ｗを検出し、近接センサ２２の出力信号に基づいて前記制御部１２が排紙方向を切り替える。
【００５４】
図６は、このプロジェクタ複合機のハードウエア構成図である。このプロジェクタ複合機１００は、所望の画像をスクリーンに投影するプロジェクタ１０１と、プロジェクタで投影したい書類等を読み取るスキャナ１０２と、所望の内容を印刷するプリンタ１０３と、スキャナ１０２により読み取った画像やプロジェクタ１０１で投射する画像等を記憶するハードディスク１０４と、データのやり取りをする光ディスクドライブ１０５およびカードリーダ・ライタ１０６と、制御のための所定プログラムを記憶したＲＯＭ１０７と、所定処理をおこなうためのＲＡＭ１０８およびＣＰＵ１０９と、コンピュータ（ＰＣ）Ｐとの接続をおこなうインターフェース１１０とを備える。光ディスクドライブ１０５およびカードリーダ・ライタ１０６のスロットは、本体２の側面に設けられている。
【００５５】
図７は、このプロジェクタ複合機を示す機能ブロック図である。このプロジェクタ複合機１００は、プロジェクタ１０１等の各ハードウエア機器を制御する制御部１５０と、画像データ等を記憶する記憶部１５１と、この記憶部１５１に記憶したデータを検索する検索部１５２とを備えている。記憶部１５１には、画像データ等がデータベース（ＤＢ）１５３に蓄積されている。このデータベース１５３は、たとえば顧客、プロジェクト、グループ等の情報に基づきデータを整理記憶している。データベース１５３に対しては、データベース管理システム（ＤＢＭＳ）１５４が設けられている。
【００５６】
図８−１〜図８−４は、この発明のプロジェクタ複合機の使用状態を示す説明図である。このプロジェクタ複合機１００は、ユーザＵが会議に使用する際、図８−１に示すように、保管場所からキャスター１を用いて会議室まで移動する。そして、昇降部３を上げ（図８−２）、当該昇降部３が机Ｔの上に位置するよう、本体２を机Ｔの下に動かす（図８−３）。昇降部３は、本体正面側にて２本のロッド５で支持されているから、本体２を昇降部３との間に机Ｔの天板が入り込むようになる。
【００５７】
これにより、プロジェクタ１０１の投射レンズが机側と反対方向に向いて位置し、スキャナ１０２が机上に位置する。そして、必要に応じて当該プロジェクタ複合機１００にパーソナルコンピュータＰを接続し、スクリーンＳに投影する（図８−４）。
【００５８】
このプロジェクタ複合機１００では、プリンタ１０３、スキャナ１０２、プロジェクタ１０１は、パーソナルコンピュータＰに接続した状態で個々の機能を発揮する。さらに、このプロジェクタ複合機１００では、プリンタ１０３、スキャナ１０２、プロジェクタ１０１を相互に組み合わせて機能させることができる。たとえば、ユーザは次のように当該プロジェクタ複合機１００を使用できる。
【００５９】
ユーザがプロジェクタ機能を用いてプレゼンテーションする場合、基本操作として、パーソナルコンピュータＰから画像データを送信し、当該プロジェクタ１０１により当該画像を投影する。別の方法として、スキャナ１０２に投影したい書類（印刷物、手書きのどちらでもよい）をセットし、これをスキャナ１０２によりスキャンする。そして、当該スキャンした画像をプロジェクタ１０１により表示する。すなわち、当該プロジェクタ複合機１００がオーバーヘッドプロジェクタのように機能する。なお、スキャンした画像データは、記憶部１５１のデータベース１５３に蓄積される。このため、会議の途中出席者には、既に説明の済んだスライドを印刷して渡すこともできる。
【００６０】
また、プロジェクタ１０１で投影しようとする画像をデータベース１５３から読み出して投影できる。このとき、ユーザがアクセスできるのは、自分に関係する顧客、プロジェクト、グループに属するデータのみ、あるいは自分のフォルダに属するデータのみである。データベース１５３へのアクセス権は、ユーザ毎に与えられる。なお、ユーザは、プロジェクタ複合機１００にパーソナルコンピュータＰを接続しなくても、本体２に設けた液晶表示部（図示省略）を参照しながら、記憶部１５１から直接データを読み出し、スクリーンに投影することも可能である。
【００６１】
次に、ユーザは、プリンタ機能を用いることで会議室にて参加者に資料を配布できる。ユーザは、パーソナルコンピュータＰから印刷データを送信して当該プリンタ１０３により書類を印刷する。また、スキャナ１０２との組み合わせによりコピー機能を奏することもできる。すなわち、スキャナ１０２に書類をセットしてスキャンし、このスキャンした画像をプリンタ１０３により印刷する。なお、スキャンした画像データは、記憶部１５１に蓄積される。このようにすれば、会議に参加するメンバーに予めプレゼンテーション用の資料を配布しておく必要がなく、プリンタ機能によりその場で配布できる。
【００６２】
また、プロジェクタ１０１により表示した画像をプリンタ１０３により印刷できる。たとえば、会議中に投影している画像を紙でほしい場合、その場で印刷して配布できる。また、プリントしたい画像を記憶部１５１から読み出してプリントすることもできる。このとき、ユーザがアクセスできるのは、上記同様、自分に関係する顧客、プロジェクト、グループに属するデータのみ、あるいは自分のフォルダに属するデータのみである。
【００６３】
また、データベース１５３の内容は、光ディスクやカード式のメモリに書き出され、保管されるかあるいは他のプロジェクタ複合機１００に移動することができる。すなわち、光ディスク等により一のプロジェクタ複合機１００の記憶内容を別のプロジェクタ複合機１００に移動すれば、当該別のプロジェクタ複合機１００で会議を続行できる。このため、別棟などの離れた場所や出張先で、プロジェクタ複合機１００を用いて会議をおこなう場合、光ディスクまたはメモリからデータをそのプロジェクタ複合機１００に移すことで会議を継続できる。
【００６４】
以上のプロジェクタ複合機１００によれば、容易に移動させることで、場所を選ばず会議やプレゼンテーション等をおこなうことができる。また、プロジェクタ１０１、プリンタ１０３、スキャナ１０２のオールインワン・タイプのため、会議等のたびに各機器を持ち込まなくてもよく、会議等の開催が容易におこなえる。さらに、上記説明したように、このプロジェクタ複合機１００は、単なる複合機として個々の機能を奏するのではなく、各機能が相互に組み合わされて、会議に好適な機能を発揮するようになっている。すなわち、このプロジェクタ複合機１００が会議のトータルコーディネートをおこなうようになる。
【実施例２】
【００６５】
図９は、この発明の実施例２にかかるプロジェクタ複合機を示す説明図である。このプロジェクタ複合機２００は、ＬＡＮにより複数のパーソナルコンピュータＰと接続されており、データベースサーバとして機能する点に特徴がある。その他の構成は実施例１のプロジェクタ複合機１００と同じであるので説明を省略する。このプロジェクタ複合機２００とパーソナルコンピュータＰとの接続は、ＬＡＮケーブル、無線ＬＡＮ等によりおこなう。さらに、このプロジェクタ複合機２００は、インターネットモデムと接続されており、プロキシサーバとして機能する。
【００６６】
図１０は、データベースの構造例を示す説明図である。このデータベースサーバは、プロジェクタ１０１により投射する画像データ、印刷した印刷データ、スキャナ１０２によりスキャンした画像データ等を顧客、プロジェクト、グループ、担当者毎に関係付けられて整理記憶したデータベース１５３と、このデータベース１５３を管理運用するデータベース管理システム１５４とを有する。
【００６７】
ＬＡＮに接続された各クライアントＰは、当該データベースサーバへのアクセス権を有する。このとき、各クライアントＰがアクセスできるのは、ユーザの関係する顧客、プロジェクト、グループおよび自分のフォルダである。たとえば、このプロジェクタ複合機２００では、会議に参加するユーザがそれぞれパーソナルコンピュータＰを持ち込み、このプロジェクタ複合機２００とネットワーク接続する。これにより、会議の参加者は、会議にかかる顧客、プロジェクト、グループおよび自分のフォルダにアクセスできる。
【００６８】
該当するデータベースへのアクセスコードは、会議毎にプロジェクタ複合機２００が自動作成して配布するか、議長が参加者に言い伝えるようにすればよい。これにより、関係のない者や既にメンバーから外れた者その他の第三者が勝手にアクセスできなくなり、特に無線ＬＡＮを用いているときに効果的である。また、このプロジェクタ複合機２００は、会議等が、いずれの顧客、プロジェクト等に属するものかを前記ユーザにより入力されたアクセスコードから認識する。これにより、プリンタ１０３の印刷データやスキャナ１０２の画像データ等が、該当するプロジェクトやグループ等に関連付けてデータベース１５３に保存される。
【００６９】
各ユーザは、それぞれのクライアントＰからデータベース１５３内にある所望の画像データの検索要求をおこなう。これにより、プロジェクタ複合機２００のデータベース１５５３から当該画像データが検索され、クライアントＰに検索結果が送信される。これにより、クライアントＰは所望の画像データを取得できる。また、この画像はクライアントＰからの要求によりプロジェクタ１０１で投影できる。さらに、クライアントＰからの要求により当該画像を印刷できる。このように、ユーザは、データベース１５３にアクセスして必要な画像を取得し、それを投影したり印刷したりして会議を効率的に進めることができる。
【００７０】
また、当該プロジェクタ複合機２００のプロジェクタ１０１に対して、複数のクライアントＰからそれぞれ投影する画像データを送信できる。この場合、プロジェクタ複合機２００にＩＰアドレスを付与し、各クライアントＰからＷｅｂブラウザにより操作する。
【００７１】
図１１は、操作画面の一例を示す説明図である。たとえば操作画面２０１中には、現在表示されている画像内容のモニタ画面２０２、自分の画像を表示するための表示要求ボタン２０３、画像の表示順位欄２０４、表示の割り込みボタン２０５、データベース１５３に記憶されているデータの画像表示欄２０６、次の画像を表示するための次画面ボタン２０７、マルチ画面にするための画像分割メニュー２０８等の内容が表示される。
【００７２】
ユーザが会議中に自分の画像を表示したい場合、画像表示欄２０６中で該当する画像を選択し、表示要求ボタン２０３をクリックして要求を送信する。これにより、表示の順位が表示順位欄２０４に表示される。順番待ちの画像は、次画面ボタン２０７を押すことで順次表示される。操作画面２０１中のモニタ画面２０２にも投影されている画像が表示される。
【００７３】
割り込みで表示したいときは、画像表示欄２０６中で該当する画像を選択し、割り込みボタン２０５をクリックして要求を送信する。この要求によれば直ちに画像が表示される。また、画像分割メニュー２０８により分割数を指定し、マルチ画面により複数のユーザの画像を表示することができる。また、プレゼンテーション・ツールであるパワーポイント（登録商標）等のツールバーの分類に、このプロジェクタ複合機２００の操作に関する上記コマンドを表示するようにしてもよい。
【００７４】
なお、プロジェクタ複合機２００のプリンタ１０３は、プロジェクタ複合機２００に設けたプリンタサーバにより各クライアントＰからの印刷要求を受け付け、印刷の処理をおこなう。プロジェクタ複合機２００のスキャナ１０２は、上記同様のＷｅｂブラウザ画面により各クライアントＰからスキャナ１０２を使用できる。前記プリンタ１０３により印刷した印刷データや前記スキャナ１０２によりスキャンした画像データ等は、記憶部１５１のデータベース１５３に蓄積される。画像データは、たとえば現在開催している会議のプロジェクトやグループのファイルに保存される。
【００７５】
次に、このプロジェクタ複合機２００は、プロジェクタ１０１、スキャナ１０２、プリンタ１０３を複合しているので、下記のような機能を有する。
【００７６】
第一に、クライアントＰから送信された画像データをプロジェクタ１０１で投影すると共に、会議出席者のクライアントＰに当該画像データを送信する。画像データを取得したユーザはデータの保存や加工等をおこなうことができる。なお、クライアントＰへの画像データの送信は、自動的におこなってもよいし、各クライアントＰからの要求によりおこなうようにしてもよい（以下同じ）。当該画像データはデータベース１５３の所定場所に蓄積される（以下同じ）。
【００７７】
第二に、クライアントＰから送信された画像データをプリンタ１０３で印刷すると共に、会議出席者のクライアントＰに当該画像データを送信する。
【００７８】
第三に、クライアントＰから送信された画像データをプロジェクタ１０１で投影し、かつこれをプリンタ１０３で印刷すると共に、会議出席者のクライアントＰに当該画像データを送信する。
【００７９】
第四に、手書きまたは印刷物をスキャンした画像データをプロジェクタ１０１で投影すると共に、会議出席者のクライアントＰに当該画像データを送信する。たとえば会議において用紙に手書きで所定内容を書き、それをスキャンし、この画像をプロジェクタ１０１により投影する。これと共に前記画像データがネットワークを経由して各クライアントＰに送られる。
【００８０】
第五に、手書きまたは印刷物をスキャンした画像データをプリント（コピー）配布すると共に、会議出席者のクライアントＰに当該画像データを送信する。たとえば会議において用紙に手書きで所定内容を書き、それをスキャンし、この画像をプリントして配布する。これと共に印刷にかかる前記画像データがネットワーク経由で各クライアントＰに送られる。第六に、手書きまたは印刷物をスキャンした画像データをプロジェクタ１０１で投影すると共に、プリント（コピー）配布し、会議出席者のクライアントＰに当該画像データを送信する。
【００８１】
また、このプロジェクタ複合機２００は、クライアントＰのプロキシサーバとして機能する。オートパイロット機能により会議の議題に関連するＷｅｂサイトを予め収集するようにしてもよい。また、以前に閲覧したサイトはキャッシュに保存されており、自動的に上記データベース１５３に移動することもできる。
【００８２】
以上のように、投影された画像データ、スキャンされた画像データ、印刷データは記憶部１５１にデータベース１５３として記憶されるため、別のユーザが直ちにその画像データにアクセスできる。このため、会議において即座に出席者の間で情報を共有できるようになり、会議の進行をスムーズにできる。また、会議終了後に資料をまとめたり、データベース１５３を更新したりする手間が省ける。また、後日の会議で同じ資料を用いるときに便利である。
【実施例３】
【００８３】
図１２は、この発明の実施例３にかかるプロジェクタ複合機を示す斜視図である。図１３−１〜図１３−３は、このプロジェクタ複合機の説明図であり、図１３−１は側面図、図１３−２は上面図、図１３−３は斜視図である。このプロジェクタ複合機３００は、上記昇降部３０１が小型の机になっている点に特徴がある。その他の構成は実施例１にかかるプロジェクタ複合機と同様であるからその説明を省略する。
【００８４】
同図に示すように、本体２の中央に上下動する軸３０２が設けられており、この軸３０２の上端に昇降部３０１が設けられている。この昇降部３０１の中央にはスキャナ１０２が設けられており、昇降部３０１の端部にはプロジェクタ１０１の投射レンズ４が設けられている。
【００８５】
昇降部３０１は、たとえば直径８０ｃｍ〜１００ｃｍ程度の円形テーブルになっており、このテーブル上に資料を広げて小規模な会議をすることができる。なお、テーブル天板３０３は、図１３−３に示すように、４つの弦部分３０４で折り畳み可能になっており、プロジェクタ複合機３００の移動のときは折り畳んである。
【００８６】
また、図１２に示したように、机中央にライト３０５を設けると共に無線の内線電話３０６を取り付けてもよい。すなわち、このプロジェクタ複合機３００は、小規模な会議を場所を選ばず開催することができるので、業務の遂行に非常に役に立つ。また、軸３０２の上昇量を大きくして、立って机を使用するのに適した高さに変更できる。このようにすれば、椅子を用意しなくても会議ができる。
【００８７】
また、このプロジェクタ複合機３００は、本体２内部に電源３５０を有し、本体２に設けたコンセント３５１により外部機器に電力を供給できる。この電源３５０には、鉛蓄電池、ニッカド電池、ニッケル水素電池等の二次電池、または燃料電池を用いることができる。特に電源３５０に燃料電池を用い、排出される水蒸気を会議室の加湿器として用いてもよい。このように、プロジェクタ複合機３００からパーソナルコンピュータ等に電力を供給することで、電源コンセントの有無の条件を問わず、どのような場所でも会議ができるようになる。たとえばテラス、カフェ、廊下、ホール等で会議をすることができる。
【実施例４】
【００８８】
図１４は、この発明のプロジェクタ複合機の使用例を示す説明図である。上記プロジェクタ複合機１００は、コンピュータ上で書類（文書）を作成し（ステップ１）、作成した書類Ｄをプリンタ１０３により印刷し（出力：ステップ２）、この書類Ｄに書き込みをおこない（ステップ３）、この書き込みをおこなった書類Ｄをさらにスキャナ１０２で読み込み（入力：ステップ４）、この読み込んだ画像に所定の画像処理を施すと共に（ステップ５）、再びその画像をプリンタ１０３で印刷し（出力：ステップ６）、さらに前記ステップ３以降を繰り返しおこなう。この一連のプロセスをドキュメント・ウェーブと称する。
【００８９】
読み込んだ画像に対する画像処理は、たとえば文字認識、ドローイングおよびテキスト入力等によりおこなう。文字認識、ドローイングおよびテキスト入力等のソフトウエアは図６に示すハードディスク１０４に記憶されており、使用時にはＲＡＭ１０８に適宜展開し、入力された情報をＣＰＵ１０９により処理する。
【００９０】
具体例としては、前記文字認識による画像処理は、書類にユーザが記入した文字を所定のルールのもとで解析して文字データに変換し、当該文字を記載した位置にデータ変換した文字を追加する。これにより、書類の記入内容がデータとして加えられ、この書類を印刷することで、更新された内容の書類を配布できる。
【００９１】
また、ドローイング機能によれば、読み込んだ画像上に別の内容の図や写真等を入力できる。このため、書類に所望の内容を追加して当該書類を更新できる。更新した書類は、印刷されて配布される。また、テキスト入力機能は、読み込んだ画像上にテキストボックスを加えて、文章を入力できる。文章入力した書類は印刷配布されて再び会議資料となる。
【００９２】
なお、読み込んだ画像は、プロジェクタ１０１により投影できる。また、プロジェクタ複合機１００は、図示しないキーボードやマウス等の入力装置を有する。この入力装置により、必要な情報を書類の画像に対して入力する。また、書類Ｄの入力方法としては、上記スキャナ１０２による読み取りの他、プロジェクタ１０１による投影画像をデジタルカメラにより撮影して取り込むようにしてもよい。
【００９３】
また、出力方法としての上記印刷の代わりに、プロジェクタ１０１による投影をおこなってもよい。このとき、プロジェクタ１０１の画像をホワイトボード上に投影し、当該画像上にマジックで書き込みをおこなってもよい。このホワイトボード上の画像は、デジタルカメラで取り込んでもよい（入力）。
【００９４】
また、上記ではスキャナ１０２等で取得した画像を加工したが、加工することなくそのままプリンタ１０３で印刷したり、プロジェクタ１０１で投影したりしてもよい。この場合、上記文字認識、ドローイングおよびテキスト入力等のソフトウエアは不要である。
【００９５】
このようにすれば、データをプリンタ１０３により紙に印刷し、書類の内容をスキャナ１０２またはデジタルカメラでデータとして取り込み、再びデータを紙に印刷する工程の連続、あるいは、データをプロジェクタ１０１で投影し、この投影内容をデジタルカメラによりデータとして取り込み、再びデータを投影する工程の連続、またはこれらの組み合わせによって、次第に最終的な書類が完成する。このようにすれば、書類を会議等の傍らでまとめることができるので、書類作成の手間が省ける。
【図面の簡単な説明】
【００９６】
【図１−１】この発明の実施例１にかかるプロジェクタ複合機を示す説明図。
【図１−２】この発明の実施例１にかかるプロジェクタ複合機を示す説明図。
【図１−３】この発明の実施例１にかかるプロジェクタ複合機を示す説明図。
【図２−１】この発明の実施例１にかかるプロジェクタ複合機を示す説明図。
【図２−２】この発明の実施例１にかかるプロジェクタ複合機を示す説明図。
【図３】プロジェクタ複合機の使用状態を示す説明図。
【図４】プロジェクタ複合機の使用状態を示す説明図。
【図５】プロジェクタ複合機のプリンタ構造の一部を示す説明図。
【図６】プロジェクタ複合機のハードウエア構成図。
【図７】プロジェクタ複合機を示す機能ブロック図。
【図８−１】プロジェクタ複合機の使用状態を示す説明図。
【図８−２】プロジェクタ複合機の使用状態を示す説明図。
【図８−３】プロジェクタ複合機の使用状態を示す説明図。
【図８−４】プロジェクタ複合機の使用状態を示す説明図。
【図９】この発明の実施例２にかかるプロジェクタ複合機を示す説明図。
【図１０】データベースの構造例を示す説明図。
【図１１】操作画面の一例を示す説明図。
【図１２】この発明の実施例３にかかるプロジェクタ複合機を示す斜視図。
【図１３−１】図１２に示したプロジェクタ複合機の側面図。
【図１３−２】図１２に示したプロジェクタ複合機の上面図。
【図１３−３】図１２に示したプロジェクタ複合機の斜視図。
【図１４】この発明のプロジェクタ複合機の使用例を示す説明図。
【符号の説明】
【００９７】
１  キャスター、２  本体、３  昇降部、４  投射レンズ、１０  プリント部、１１  給紙トレイ、１２  制御部、１３  フラップ、１４  排紙トレイ、１５  第１排紙パス、１６  排紙口、１７  第２排紙パス、１００  プロジェクタ複合機、１０１  プロジェクタ、１０２  スキャナ、１０３  プリンタ、１５１  記憶部、１５２  検索部、１５３  データベース
【図１−１】
2006013597.tif 000003
【図１−２】
2006013597.tif 000004
【図１−３】
2006013597.tif 000005
【図２−１】
2006013597.tif 000006
【図２−２】
2006013597.tif 000007
【図３】
2006013597.tif 000008
【図４】
2006013597.tif 000009
【図５】
2006013597.tif 000010
【図６】
2006013597.tif 000011
【図７】
2006013597.tif 000012
【図８−１】
2006013597.tif 000013
【図８−２】
2006013597.tif 000014
【図８−３】
2006013597.tif 000015
【図８−４】
2006013597.tif 000016
【図９】
2006013597.tif 000017
【図１０】
2006013597.tif 000018
【図１１】
2006013597.tif 000019
【図１２】
2006013597.tif 000020
【図１３−１】
2006013597.tif 000021
【図１３−２】
2006013597.tif 000022
【図１３−３】
2006013597.tif 000023
【図１４】
2006013597.tif 000024